(57)【要約】【課題】細かいネジ、ピンを用いる事無く眼鏡の組み立て分解をワンタッチでし、取り外しも可能にする事。【解決手段】眼鏡のフロントフレームの左右両端部（１１）のヨロイ部端部合口部（１２）には、少なくとも一つの磁性体（２１）がその内側角を丸められる様に設けられ、その磁性体中間部には、鍔部（３６）を有する鈎状部分（３１）が前記磁性体と一体又は別体として合口部から突出する様に設けられ、そして、前記ヨロイ部端部合口部に相対するテンプル側合口部（４２）には、前記ヨロイ部磁性体に吸着する為の上下二連の磁石（２３，２３ａ）が設けられ、その上下の磁石の間に前記ヨロイ部の鈎状部分に嵌合する鈎状部分（３２）を有するＴ字型部品（３４）が凹部を形成するように挟持され、更にその凹部から続く前記鍔部に嵌合する溝部（５２）がテンプル端部側部に設けられた。【選択図】図２
2016004263.tif 000002
【特許請求の範囲】
【請求項１】
眼鏡のフロントフレームの左右両端部のヨロイ部端部合口部には、少なくとも一つの磁性体がその内側角を丸められる様に設けられ、その磁性体中間部には、鍔部を有する鈎状部分が前記磁性体と一体又は別体として合口部から突出する様に設けられ、そして、前記ヨロイ部端部合口部に相対するテンプル側合口部には、前記ヨロイ部磁性体に吸着する為の上下二連の磁石が設けられ、その上下の磁石の間に前記ヨロイ部の鈎状部分に嵌合する鈎状部分を有するＴ字型部品が凹部を形成するように挟持され、更にその凹部から続く前記鍔部に嵌合する溝部がテンプル端部側部に設けられた事を特徴とする眼鏡の磁着連結構造。
【請求項２】
前記ヨロイ部の鈎状部分とテンプル部のＴ字型部品の鈎状部分の嵌合部にギャップを設けた事を特徴とする請求項１記載の眼鏡の磁着連結構造。
【請求項３】
眼鏡のフロントフレームの左右両端部のヨロイ部端部合口部には、少なくとも一つの磁性体がその内側角を丸められる様に設けられ、その磁性体中間部には、鍔部を有する鈎状部分が前記磁性体と一体又は別体として合口部から突出する様に設けられ、更に磁性体前方には上下二連の磁石がその磁極方向が上下反対になる様に連設され、そして、前記ヨロイ部端部合口部に相対するテンプル側合口部には、前記ヨロイ部磁性体に吸着する為の上下二連の磁石が設けられ、その上下の磁石の間に前記ヨロイ部の鈎状部分に嵌合する鈎状部分を有するＴ字型部品が凹部を形成するように挟持され、更にその凹部から続く前記鍔部に嵌合する溝部がテンプル端部側部に設けられた事を特徴とする眼鏡の磁着連結構造。
【請求項４】
前記ヨロイ部の鈎状部分とテンプル部のＴ字型部品の鈎状部分の嵌合部にギャップを設けた事を特徴とする請求項３記載の眼鏡の磁着連結構造。
【発明の詳細な説明】
【技術分野】
【０００１】本発明は、眼鏡のフロントフレームとテンプルとのネジ無し、軸ピン無しで、且つ、テンプルの着脱自在な磁着連結構造に関する。
【背景技術】
【０００２】従来、眼鏡のフロントフレームとテンプルとの連結構造に於いては、ネジ又は軸ピンを用いた丁番による結合、それにバネを付加したバネ丁番による結合が用いられて来ている。しかし、上記いずれに於いても、眼に見えないほどのネジや軸ピン、ナットを用いて細かい作業をしなければならず、作業効率が極めて悪く、又、ネジ等の山やネジ受け部分も小さくならざるを得ず、緩み易くなってしまい、眼鏡がぐらつく結果になってしまい視力を更に悪くするようになってしまっていた。更にバネ丁番にいたっては更に複雑で小売店でも修理等は不可能であった。ましてやユーザーがテンプルの交換を行う事など不可能であった。【０００３】そこで本発明者は、ＷＯ２００９／１１３１８７に於いて磁石を使用したネジ無し軸ピン無しの着脱自在な連結構造を提案した。しかしながらその連結構造に於いては、テンプルを開いて９０度の角度で広げられている場合は互いの吸着力（磁着力）が強く互いに離れるという事は少ない。しかし、内側にテンプルを折り畳もうする場合回動がスムーズにいかない事となった。そして又、テンプルがバタついたりズレたりして離れ易くなってしまった。この理由としては、テンプルが開いている場合、テンプル側磁石の磁極とフロントフレームヨロイ側磁石の磁極が吸着しているので安定した吸着状態で有るが、テンプルを回動させて折り畳んだ状態では、フロントフレーム側の磁力の一番弱い処で、テンプル保持する事になり、テンプルが不安定な状態になった。そして又、フロントフレームヨロイ側磁石の内側角部分が角張っているので、テンプルの摺動及び回動がスムーズに行かなくて、バタついたり、違った処にくっついたりしてスムーズな回動が得られなかった。【０００４】
【特許文献１】ＷＯ２００９／１１３１８７
【発明の開示】
【課題を解決するための手段】
【０００５】先ず、眼鏡のフロントフレームの左右両端部のヨロイ部端部合口部には、少なくとも一つの磁性体がその内側角を丸められる様に設けられ、その磁性体中間部には、鍔部を有する鈎状部分が前記磁性体と一体又は別体として合口部から突出する様に設けられ、そして、前記ヨロイ部端部合口部に相対するテンプル側合口部には、前記ヨロイ部磁性体に吸着する為の上下二連の磁石が設けられ、その上下の磁石の間に前記ヨロイ部の鈎状部分に嵌合する鈎状部分を有するＴ字型部品が凹部を形成するように挟持され、更にその凹部から続く前記鍔部に嵌合する溝部がテンプル端部側部に設けるようにした。【０００６】次に、眼鏡のフロントフレームの左右両端部のヨロイ部端部合口部には、少なくとも一つの磁性体がその内側角を丸められる様に設けられ、その磁性体中間部には、鍔部を有する鈎状部分が前記磁性体と一体又は別体として合口部から突出する様に設けられ、更に磁性体前方には上下二連の磁石がその磁極方向が上下反対になる様に連設され、そして、前記ヨロイ部端部合口部に相対するテンプル側合口部には、前記ヨロイ部磁性体に吸着する為の上下二連の磁石が設けられ、その上下の磁石の間に前記ヨロイ部の鈎状部分に嵌合する鈎状部分を有するＴ字型部品が凹部を形成するように挟持され、更にその凹部から続く前記鍔部に嵌合する溝部がテンプル端部側部に設けられ，そして、テンプルが折畳まれた状態からほぼ９０度開拡回動するようにした。故障の元となる小さなネジや軸ピンを用いる事無く磁石と磁性体だけの吸着力で外れ難くスムーズな回動が得られた。【０００７】本発明は又、ヨロイ部の鈎状部分とテンプル部のＴ字型部品の鈎状部分の嵌合部にギャップを設けることによりテンプルが５度〜１５度外側に過開拡可能になった。５度〜１５度外側に過開拡可能にする事により眼鏡の掛け外しが容易になった。そして、ヨロイ部端部の中間部分が突出するように鍔状に形成され、テンプル側合口部に設けられた切り込み凹部に嵌合するようにした事により、テンプルの回動がスムーズにフロントフレームから離脱せずに行えるようになった。そして、テンプルを取り外すときは、折り畳んでから引き抜く様にすると簡単に抜けるので、テンプルの交換も簡単に出来る。
【発明の効果】
【０００８】本発明は、小さなネジや軸ピン等を必要とする事が無く組み立てが出来、誰でも簡単にテンプルの着脱が可能になり、テンプルの交換が容易になりファッションとしての眼鏡の利用が更に広まる事になった。
【図面の簡単な説明】
【０００９】
【図１】本発明の実施例の要部分解斜視図
【図２】図１からの組み立て斜視図
【図３】本発明の実施例の要部平面図
【図４】本発明の実施例の要部側面図
【図５】本発明の他の実施例の要部分解斜視図
【図６】図５からの組み立て図
【図７】本発明の要部平面図
【図８】本発明の他の実施例要部平面図
【図９】本発明の他の実施例の要部側面図
【発明を実施するための最良の形態】
【００１０】眼鏡のフロントフレームの左右両端部のヨロイ部端部合口部には、少なくとも一つの磁性体がその内側角を丸められる様に設けられ、その磁性体中間部には、鍔部を有する鈎状部分が前記磁性体と一体又は別体として合口部から突出する様に設けられ、そして、前記ヨロイ部端部合口部に相対するテンプル側合口部には、前記ヨロイ部磁性体に吸着する為の上下二連の磁石が設けられ、その上下の磁石の間に前記ヨロイ部の鈎状部分に嵌合する鈎状部分を有するＴ字型部品が凹部を形成するように挟持され、更にその凹部から続く前記鍔部に嵌合する溝部がテンプル端部側部に設けられ、そして、テンプルが折畳まれた状態からほぼ９０度開拡回動するようにされた事を特徴とする眼鏡の磁着連結構造。
【実施例１】
【００１１】図１は本発明の実施例の要部分解斜視図で有り、眼鏡のフロントフレームの左右両端部１１のヨロイ部端部合口部１２には、少なくとも一つの磁性体２１がその内側角２２を丸められる様に設けられる。この磁性体は上下二連又は二段に設けられた磁性体であっても勿論構わない。そして、その磁性体中間部には、鍔部３６を有する鈎状部分３１が前記磁性体と一体又は別体として合口部から突出する様に設けられる。ここで一体とは、ロストワックス等の加工法で一体的に成型することで、別体とは、二つ以上の部品同士、を接着、溶着等でくっつける事を意味する。そして、前記ヨロイ部端部合口部に相対するテンプル側合口部４２には、前記ヨロイ部磁性体に吸着する為の上下二連（二段）の磁石２３，２３ａが設けられ、その上下の磁石の間に前記ヨロイ部の鈎状部分に嵌合する鈎状部分３２を有するＴ字型部品３４が凹部を形成するように挟持され、更にその凹部から続く前記鍔部に嵌合する溝部５２がテンプル端部側部に設けられる。【００１２】図２は図１からの組み立て斜視図で有り、ヨロイ部端部１３の磁性体２１の縁部分３６が突出するように鍔状３６に形成され、テンプル側合口部に設けられた切り込み凹部５２に嵌合するようにされた状態で有り、これによりネジ、軸ピンが無くてもテンプルの回動がスムーズに、離れずにブレる事無く行える事となった。【００１３】図３は、本発明の実施例の要部切り欠き平面図で有り、ヨロイ部の鈎状部分３１とテンプル部のＴ字型部品３４の鈎状部分３２ａの嵌合部にギャップ（隙間）Ｇを設けた。ギャップを設ける事により、テンプルを外側へ押し広げた場合、少し過開拡する為の遊びができる事になり、眼鏡の掛け外しがし易くなった。【００１４】図４は本発明の実施例の要部側面図で有り、前記ヨロイ部端部合口部に相対するテンプル側合口部には、前記ヨロイ部磁性体２１，に吸着する為の上下二連の磁石２３，２３ａが設けられ、その上下の間に前記ヨロイ部の鈎状部分３１に嵌合する鈎状部分３２ａを有する別のＴ字型部品３４が凹部３５を形成するように挟持されている。それ故に、スムーズなテンプルの回動とテンプルの自在着脱が可能となった。
【実施例２】
【００１５】図５は本発明の他の実施例の要部分解斜視図で有り、眼鏡のフロントフレームの左右両端部１１ａのヨロイ部端部合口部１２ａには、上下二連の磁性体２１ａ，２１ｂがそれぞれの内側角を丸められるように設けられる。これはテンプル４０ａの回動をスムーズにする為に丸められるものである。そして、その上下二連の磁性体の前方に上下二連の磁石２４ａ，２４ｂがその磁極方向が上下反対になる様に連設され、前記上下二連の磁性体と磁石の上下の間には、鈎状部分３１ａが合口部から突出するように設けられた（Ｔ字型）部品３０が設けられる。そして、前記ヨロイ部端部合口部に相対するテンプル側合口部４２ａには、前記ヨロイ部磁性体２１ａ，２１ｂに吸着する為の上下二連の磁石２３ｂ，２３ｃが設けられ、その上下の間に前記ヨロイ部の鈎状部分３１ａに嵌合する鈎状部分３２ａを有する別のＴ字型部品３４ａが上下二連の磁石の間に凹部を形成するように挟持される。そして、テンプル４０ａが折畳まれた状態からほぼ９０度開拡回動するようにされた状態を示している。【００１６】図６は図５からの組み立て斜視図で有り、ヨロイ部端部１３の磁性体２１ａ，２１ｂにより挟まれたＴ字型部品の縁部分３６ａが突出するように鍔状に形成され、テンプル側合口部に設けられた切り込み凹部５２ａに嵌合するようにされた状態で有り、これによりネジ、軸ピンが無くてもテンプルの回動がスムーズに、離れずにブレる事無く行える事となった。【００１７】図８はヨロイ部の（Ｔ字型）部品３０の鈎状部分３１とテンプル部の別のＴ字型部品３４ａの鈎状部分３２ａの嵌合部にギャップ（隙間）Ｇを設けた。ギャップを設ける事により、テンプルを外側へ押し広げた場合、少し過開拡する為の遊びができる事になり、眼鏡の掛け外しがし易くなった。【００１８】図９は本発明の他の実施例の要部側面図で有り、上下二連の磁性体２１ａ，２１ｂの、前記ヨロイ部端部合口部に相対するテンプル側合口部には、前記ヨロイ部磁性体２１ａ，２１ｂに吸着する為の上下二連の磁石２３ｂ，２３ｃが設けられ、その上下の間に前記ヨロイ部の鈎状部分３１ａに嵌合する鈎状部分３２ａを有する別のＴ字型部品３ａが凹部３５を形成するように挟持されている。それ故に、スムーズなテンプルの回動とテンプルの自在着脱が可能となった。【００１９】図７は本発明の実施例又は別の実施例の眼鏡１０の要部平面図で有り、連結部に丁番等の出っ張りが生じないので、デザイン的にもすっきりと持ち易くなり髮の毛等の引っかかりもなくなる。【００２０】又、本発明に使用される磁石はネオジム磁石が好ましく、磁性体としては、強磁性体である鉄、フェライト系ステンレスが好ましい。
【産業上の利用可能性】
【００２１】以上の様に、本発明にかかる眼鏡の磁着連結構造は、小さなネジや軸ピンを用いる事が無くなる事により故障が少なくなり、しかも着脱も自由になる事によりファッション性が拡がり、眼鏡を装着する楽しみが増える事となる。
【符号の説明】
【００２２】１０                  眼鏡
１１，１１ａ          フロントフレーム端部
２１，２１ａ          磁性体
２２，２２ａ          ヨロイ側磁石
２３，２３ａ          テンプル側磁石
３１                  ヨロイ側鈎状部分
３２                  Ｔ字型部品の鈎状部分
３４                  Ｔ字型部品
３６                  Ｔ字型部品の縁の鍔状部
４０                  テンプル
４２                  テンプル合口部
５２                  テンプル切り込み凹部
【図１】
2016004263.tif 000003
【図２】
2016004263.tif 000004
【図３】
2016004263.tif 000005
【図４】
2016004263.tif 000006
【図５】
2016004263.tif 000007
【図６】
2016004263.tif 000008
【図７】
2016004263.tif 000009
【図８】
2016004263.tif 000010
【図９】
2016004263.tif 000011